(57)【要約】【課題】  ＷＯＬ機能を持つ不特定多数のデバイスに（ブロードキャストアドレス指定で）マジックパケットで電源を投入する際、ＬＡＮ上のデバイスがすべて起動してしまうことを防止し、節電効果の向上をはかる。【解決手段】  （１）利用者が使いたい機能を指定することで、選択的に電源を投入する、（２）デバイス自身に二段階起動の機構を持たせる構成を備える。【選択図】        図１
2007088707.tif 000002
【特許請求の範囲】
【請求項１】
特定のデータシーケンスが含まれたネットワークパケットを受信することによって主電源を投入する機能を持つネットワーク接続装置および電源制御部を備えた複合機において、前記データシーケンスは利用者が利用したい機能の情報を含み、前記ネットワーク接続装置は前記複合機が有する機能を情報として保持し、前記利用したい機能の情報を参照して、前記複合機が有する機能であれば主電源を投入するよう電源制御部に信号を送り、前記複合機が有しない機能であれば主電源を投入しないことを特徴とする電源投入方法。
【請求項２】
特定のデータシーケンスが含まれたネットワークパケットを受信することによって中央処理装置に電源を投入する機能を持つネットワーク接続装置および電源制御部を備えた複合機において、前記ネットワーク接続装置は第一のデータシーケンスが含まれたネットワークパケット受信時に前記中央処理装置に電源を投入するよう前記電源制御部に信号を送り、前記中央処理装置は前記ネットワーク接続装置を通じて受信した第二のデータシーケンスが含まれたネットワークパケット受信時に周辺装置に電源を投入するよう前記電源制御部に信号を送ることを特徴とする電源投入方法。
【発明の詳細な説明】
【技術分野】
【０００１】
特定のネットワークパケット受信時に電源を投入する機能（例えばＷＯＬ（Ｗａｋｅ  ｕｐ  Ｏｎ  ＬＡＮ））を持つ複合機の電源投入方法に関する。
【背景技術】
【０００２】
近年、オフィス等においては、ＬＡＮ（Ｌｏｃａｌ  Ａｒｅａ  Ｎｅｔｗｏｒｋ）上でデータ共有を行うことが広く普及している。ＬＡＮにはコンピュータのみならず、プリンタ、スキャナ、複合機等の周辺機器を接続し共有することも行われており、コンピュータからこれら周辺機器の操作をＬＡＮ経由で行うことができるのが一般的である。
【０００３】
コンピュータや周辺機器の中には、節電のため、時間経過等によって、自動的に主電源をオフにする機構を持つ装置が存在する。従来、主電源がオフになったコンピュータや周辺機器を再び起動するには、キーボードやパネル等を使用者が直接操作する必要があったが、ＬＡＮ接続が一般的になってきた昨今では、主電源がオフになっているコンピュータや周辺機器が、特殊なネットワークパケットを受信することで電源を投入する機構、いわゆるＷＯＬ（Ｗａｋｅ  ｕｐ  Ｏｎ  ＬＡＮ）機能を持つ装置が登場している。
【０００４】
装置の電源を投入するためのこのような特殊なネットワークパケットは、いわゆるマジックパケットと呼ばれ、主電源がオフの場合でも装置のＬＡＮコントローラは通電状態でネットワークパケットを監視している。そして、ある特定のデータシーケンスがネットワークパケット内に検知できた場合に装置の電源制御部に信号を送って主電源を投入する仕組みになっている。ここで特定のデータシーケンスとは、同期ストリームである６バイトのＦＦ（１６進数）に続き、ＬＡＮボードが固有に持つ物理アドレス、すなわちＭＡＣ（Ｍｅｄｉａ  Ａｃｃｅｓｓ  Ｃｏｎｔｒｏｌ）アドレスと呼ばれる数値が１６回繰り返されたものである。主電源がオフになっている装置がネットワークパケット内に自己のＭＡＣアドレスを含んだ上記データを検知した場合、主電源が投入される。ＭＡＣアドレスは、各ＬＡＮボード固有のものでも、既定のブロードキャストアドレスやマルチキャストアドレスでも構わない。
【特許文献１】特開２００２−２８７９３６号公報
【発明の開示】
【発明が解決しようとする課題】
【０００５】
しかしながら、特定の装置の電源を投入するためには、その装置のＬＡＮボードのＭＡＣアドレスを事前に知っていなければならず、また、ブロードキャストアドレスを指定すると、意図しない装置の電源が投入されてしまう結果となり、節電効果が低下してしまう。
【０００６】
本発明は以上の問題に鑑みてなされたものであり、ＭＡＣアドレスを事前に知らなくとも、特定の装置に対し選択的に電源を投入したり、装置の起動状態に段階を設けることによって、使用者の利便性と節電効果の両立を図ることのできる電源投入方法の提供を目的とする。
【課題を解決するための手段】
【０００７】
上記の目的を達成するため、請求項１の発明は、データシーケンスに利用者が利用したい機能の情報を含ませ、ＬＡＮボードは複合機が有する機能を情報として保持し、データシーケンスに含まれた、利用したい機能の情報を参照して、複合機が有する機能であれば主電源を投入するよう電源制御部に信号を送り、前記複合機が有しない機能であれば主電源を投入しないことを特徴とする。
【０００８】
また、請求項２の発明は、ＬＡＮボードが第一のデータシーケンスが含まれたネットワークパケット受信時に中央処理装置に電源を投入するよう前記電源制御部に信号を送り、前記中央処理装置は前記ＬＡＮボードを通じて受信した第二のデータシーケンスが含まれたネットワークパケット受信時に周辺装置に電源を投入するよう前記電源制御部に信号を送ることを特徴とする。
【発明の効果】
【０００９】
本発明によれば、ＭＡＣアドレスを事前に知らなくとも、特定の装置に対し選択的に電源を投入したり、装置の起動状態に段階を設けることによって、使用者の利便性と節電効果の両立に寄与することができる。
【発明を実施するための最良の形態】
【００１０】
以下、図を参照しながら本発明の実施形態について説明する。
【実施例】
【００１１】
図１は、本発明にかかる第一の実施例における複合機の構成の一例を示す図である。ＬＡＮボード１０１はネットワークパケットの送受信を行い、主電源１０３がオフの場合でも待機用電源１０４によって通電される。電源制御部１０２は電源供給のオンオフ切替を行う。中央処理装置１０６は例えばＭＰＵ形式のマイクロチップであり、主電源１０３からの電源供給により駆動し、メモリ１０５、操作パネル１０７、プリントエンジン１０８、スキャンエンジン１０９、ハードディスク１１０を制御する。主電源１０３がオフの状態からの電源投入は、利用者がコンピュータなどを同じＬＡＮに接続し、特定のデータシーケンスを含んだネットワークパケットをこの複合機に対して送信することにより行う。
【００１２】
図２は、本発明にかかるネットワークパケットの一例を示す図である。２０１はネットワークパケット全体を表す。送信元アドレス、受信先アドレス、データ、ＣＲＣ（Ｃｙｃｌｉｃ  Ｒｅｄｕｎｄａｎｃｙ  Ｃｈｅｃｋ＝巡回冗長検査）のストリームで構成される。ここで送信元アドレス、受信先アドレスとは、ＭＡＣアドレスを指す。２０２は、２０１に示すデータを詳細に表したものである。同期ストリーム、ＭＡＣアドレスの１６回繰り返し、および機能情報のストリームで構成される。機能情報には、利用者が利用したい機能を例えばビット列で記述する。
【００１３】
図３は、ＬＡＮボード１０１が内部に保持する、この複合機が有する機能の情報の一例である。ここでは、コピー、プリンタ、スキャナの機能は有するが、ファクスの機能は備えていないことを表している。
【００１４】
図４は、主電源オフ時のＬＡＮボード１０１の処理手順の一例である。
【００１５】
４０１で起動要求パケットを受信したことを判断すると、その内容を解析し、４０２で特定データシーケンスの有無を判定する。４０３で自分宛のパケット、すなわち、２０２のＭＡＣアドレスが自己のＭＡＣアドレスと一致した場合は無条件に４０７において主電源を起動する。自己のＭＡＣアドレスではないと判定された場合は４０４においてブロードキャストアドレスかどうかを判定する。ブロードキャストアドレスである場合は、４０５、４０６においてネットワークパケットに含まれる、利用者が利用したい機能の情報が、自己の持つ機能に含まれるかどうかを比較する。利用者が利用したい機能を有していると判定された場合は４０７に進み、主電源が起動される。この処理手順によって、利用者がＭＡＣアドレスを知らなくとも、利用したい機能の指定を行えば、その機能を有する複合機のみ主電源が投入される。
【００１６】
図５は、本発明にかかる第二の実施例における複合機の構成の一例を示す図である。ＬＡＮボード５０１はネットワークパケットの送受信を行い、主電源５０３がオフの場合でも待機用電源５０４によって通電される。電源制御部５０２は電源供給のオンオフ切替を行う。中央処理装置５０６は例えばＭＰＵ形式のマイクロチップであり、主電源５０３からの電源供給により駆動し、メモリ５０５、操作パネル５０７、プリントエンジン５０８、スキャンエンジン５０９、ハードディスク５１０を制御する。また、装置稼動中における、ＴＣＰ／ＩＰパケットなど通常の通信内容の解析は中央処理装置５０６で行う。このときＬＡＮボード５０１は自己宛のパケットのみを中央処理装置５０６に渡し、自己宛ではないパケットは破棄する。自己周辺電源５１１は、例えばプリンタエンジンのヒータの電源など、補助的な電源を供給する。主電源５０３がオンの場合でも周辺電源５１１はオフの状態を保つことができ、例えば中央処理装置５０６が稼動中の場合でもプリントエンジン５０８の駆動が必要ない場合などには節電効果をもたらすことができる。主電源５０３がオフの状態からの電源投入は、利用者がコンピュータなどを同じＬＡＮに接続し、特定のデータシーケンスを含んだネットワークパケットをこの複合機に対して送信することにより行う。
【００１７】
図６は、主電源オフ時のＬＡＮボード５０１の処理手順の一例である。６０１で起動要求パケットを受信したことを判断すると、その内容を解析し、６０２で特定データシーケンスの有無を判定する。６０３で自分宛のパケット、すなわち、２０２のＭＡＣアドレスが自己のＭＡＣアドレスと一致した場合は無条件に６０５において主電源５０３を起動する。自己のＭＡＣアドレスではないと判定された場合は６０４においてブロードキャストアドレスかどうかを判定する。ブロードキャストアドレスである場合は、同様に６０５において主電源５０３を起動する。６０５での主電源５０３起動の際は、周辺電源５１１の起動は伴わない。
【００１８】
図７は、主電源５０３投入後の中央処理装置５０６における処理の一例である。７０１でパケット受信したらその内容を解析し、例えば７０２のように印刷要求である場合は７０３に進む。７０３で周辺電源５１１がオフである場合には７０４で起動処理を行う。
【００１９】
以上の処理により、主電源オフ時にはＬＡＮボード側の処理により主電源が投入されて中央処理装置が起動し、稼動時に例えば印刷要求のようにさらに周辺電源の起動を要する場合にのみ、中央処理装置の指示により周辺電源の起動処理が行われるという二段階の電源起動処理を行うため、ＷＯＬ機能による電源投入時は本稼動時ほど多くの電源を必要とせず、節電効果が期待できる。
【図面の簡単な説明】
【００２０】
【図１】本発明にかかる第一の実施例における複合機の構成の一例を示す図。
【図２】本発明にかかるネットワークパケットの一例を示す図。
【図３】複合機が有する機能の情報の一例を示す図。
【図４】主電源オフ時のＬＡＮボードの処理手順の一例を示す図。
【図５】本発明にかかる第二の実施例における複合機の構成の一例を示す図
【図６】主電源オフ時のＬＡＮボードの処理手順の一例を示す図。
【図７】主電源投入後の中央処理装置における処理の一例を示す図
【符号の説明】
【００２１】
１０１  ＬＡＮボード
１０２  電源制御部
１０３  主電源
１０４  待機用電源
１０５  メモリ
１０６  中央処理装置
１０７  操作パネル
１０８  プリントエンジン
１０９  スキャンエンジン
１１０  ハードディスク
【図１】
2007088707.tif 000003
【図２】
2007088707.tif 000004
【図３】
2007088707.tif 000005
【図４】
2007088707.tif 000006
【図５】
2007088707.tif 000007
【図６】
2007088707.tif 000008
【図７】
2007088707.tif 000009